(57)【要約】【課題】設置位置の登録を簡単化することができる。【解決手段】  実施形態に係る照明制御システムは、制御可能な統括制御部と、前記複数の照明器具のうちの複数の照明器具を撮影範囲として撮影が可能な携帯端末とによって構成される照明制御システムにおいて；前記複数の照明器具の配置位置を示す配置図の情報を用い、前記携帯端末によって得られた撮影画像の画像解析処理によって、前記撮影画像中の前記照明器具の画像部分と前記配置図上の前記配置位置との対応関係を求める第１の処理、順次点灯される照明器具と前記配置図上の照明器具との対応を求める第２の処理、および前記配置図上に配置された照明器具に対応する各アドレスに前記複数の照明器具の各ＩＤ情報を対応付ける第３の処理を行う制御部；を具備する。【選択図】図１
2014222652.tif 000002
【特許請求の範囲】
【請求項１】
固有のＩＤ情報を有する複数の照明器具を統括制御し、前記複数の照明器具を所定の順番で点灯制御可能な統括制御部と、前記複数の照明器具のうちの複数の照明器具を撮影範囲として撮影が可能な携帯端末とによって構成される照明制御システムにおいて；
前記複数の照明器具の配置位置を示す配置図の情報を用い、前記携帯端末によって得られた撮影画像の画像解析処理によって、前記撮影画像中の前記照明器具の画像部分と前記配置図上の前記配置位置との対応関係を求める第１の処理、順次点灯される照明器具と前記配置図上の照明器具との対応を求める第２の処理、および前記配置図上に配置された照明器具に対応する各アドレスに前記複数の照明器具の各ＩＤ情報を対応付ける第３の処理を行う制御部；
を具備した照明制御システム。
【請求項２】
前記制御部は、前記携帯端末による撮影位置の情報及び撮影方向の情報を用いて、前記第１の処理を行う
請求項１に記載の照明制御システム。
【請求項３】
前記制御部は、前記統括制御部又は前記携帯端末の何れか一方に設けられる
請求項１又は２に記載の照明制御システム。
【請求項４】
前記制御部は、前記第１乃至第３の処理のうちの少なくとも１つの処理を行う第１の処理部と、前記第１の処理部が行う処理以外の処理を行う第２の処理部とを具備し、
前記第１の処理部は、前記統括制御部に設けられ、
前記第２の処理部は、前記携帯端末に設けられる
請求項１又は２に記載の照明制御システム。
【請求項５】
固有のＩＤ情報を有する複数の照明器具を統括制御し、前記複数の照明器具を所定の順番で点灯制御可能な統括制御部と、前記複数の照明器具のうちの複数の照明器具を撮影範囲として撮影が可能な携帯端末とによって構成される照明制御システムにおける配置登録方法であって、
前記複数の照明器具の配置位置を示す配置図の情報を用いて、前記携帯端末によって得られた撮影画像の画像解析処理によって、前記撮影画像中の前記照明器具の画像部分と前記配置図上の前記配置位置との対応関係を求める第１の処理を行い；
順次点灯される照明器具と前記配置図上の照明器具との対応を求める第２の処理を行い；
前記配置図上に配置された照明器具に対応する各アドレスに前記複数の照明器具の各ＩＤ情報を対応付ける第３の処理を行う；
配置登録方法。
【発明の詳細な説明】
【技術分野】
【０００１】
本発明の実施形態は、照明制御システム及び配置登録方法に関する。
【背景技術】
【０００２】
従来、例えば、オフィスビルや各種施設などでは、各フロアや各エリアなどの照明エリア毎に設置される照明器具などの照明負荷を遠隔制御する照明制御システムが採用されている。この種の照明制御システムにおいては、例えば、人やものなどが感知エリアの中で動いたときにその動きを検知することで、人が存在するエリアのみ照明をオンにし、不在のエリアの照明をオフにする等の照明制御が可能であり、消費電力の削減に有効である。
【０００３】
このような複数の照明器具を制御する照明制御システムにおいては、各照明器具に付与されたＩＤを利用して、特定のＩＤの照明器具のみを点灯させる等の制御が可能である。この場合、所望の位置の照明器具の点灯を制御可能にするためには、各照明器具と各照明器具の配置位置との対応関係を把握しておく必要がある。
【０００４】
例えば、照明制御システムの制御卓において各照明器具を順次点灯させると共に、照明器具の実際の点灯状態を確認することで、照明器具とその配置位置との対応関係を登録する方法が考えられる。しかし、照明器具の点灯状態を確認して対応関係を登録する作業は極めて煩雑である。そこで、照明器具の実際の点灯状態を確認するために、天井面に撮像装置を設置して登録を簡単にするシステムも開発されている。
【０００５】
しかしながら、このようなシステムでは、撮像装置を固定設置する必要があり、システムが大規模になるという問題があった。
【先行技術文献】
【特許文献】
【０００６】
【特許文献１】特開２００２−２８９３７３号公報
【発明の概要】
【発明が解決しようとする課題】
【０００７】
本発明の実施形態は、設置位置の登録を簡単化することができる照明制御システム及び配置登録方法を提供することを目的とする。
【課題を解決するための手段】
【０００８】
実施形態に係る照明制御システムは、固有のＩＤ情報を有する複数の照明器具を統括制御し、前記複数の照明器具を所定の順番で点灯制御可能な統括制御部と、前記複数の照明器具のうちの複数の照明器具を撮影範囲として撮影が可能な携帯端末とによって構成される照明制御システムにおいて；前記複数の照明器具の配置位置を示す配置図の情報を用い、前記携帯端末によって得られた撮影画像の画像解析処理によって、前記撮影画像中の前記照明器具の画像部分と前記配置図上の前記配置位置との対応関係を求める第１の処理、順次点灯される照明器具と前記配置図上の照明器具との対応を求める第２の処理、および前記配置図上に配置された照明器具に対応する各アドレスに前記複数の照明器具の各ＩＤ情報を対応付ける第３の処理を行う制御部；を具備する。
【発明の効果】
【０００９】
本発明の実施形態によれば、設置位置の登録を簡単化することができるという効果を有する。
【図面の簡単な説明】
【００１０】
【図１】本発明の第１の実施の形態に係る照明制御システムを示す説明図。
【図２】各照明器具Ｌの配置を示す配置図の一例を示す説明図。
【図３】統括制御部２の具体的な構成を示すブロック図。
【図４】携帯端末５の具体的な構成を示すブロック図。
【図５】照明器具Ｌの具体的な構成を示すブロック図。
【図６】携帯端末５による撮影を説明するための説明図。
【図７】携帯端末５による撮影を説明するための説明図。
【図８】第１の実施の形態における配置登録を説明するためのフローチャート。
【図９】本発明の第２の実施の形態を示すフローチャート。
【発明を実施するための最良の形態】
【００１１】
実施形態に係る照明制御システムは、固有のＩＤ情報を有する複数の照明器具を統括制御し、前記複数の照明器具を所定の順番で点灯制御可能な統括制御部と、前記複数の照明器具のうちの複数の照明器具を撮影範囲として撮影が可能な携帯端末とによって構成される照明制御システムにおいて；前記複数の照明器具の配置位置を示す配置図の情報を用い、前記携帯端末によって得られた撮影画像の画像解析処理によって、前記撮影画像中の前記照明器具の画像部分と前記配置図上の前記配置位置との対応関係を求める第１の処理、順次点灯される照明器具と前記配置図上の照明器具との対応を求める第２の処理、および前記配置図上に配置された照明器具に対応する各アドレスに前記複数の照明器具の各ＩＤ情報を対応付ける第３の処理を行う制御部；を具備する。
【００１２】
また、照明制御システムは、前記制御部が、前記携帯端末による撮影位置の情報及び撮影方向の情報を用いて、前記第１の処理を行う。
【００１３】
また、照明制御システムは、前記制御部が、前記統括制御部又は前記携帯端末の何れか一方に設けられる。
【００１４】
また、照明制御システムは、前記制御部が、前記第１乃至第３の処理のうちの少なくとも１つの処理を行う第１の処理部と、前記第１の処理部が行う処理以外の処理を行う第２の処理部とを具備し、前記第１の処理部は、前記統括制御部に設けられ、前記第２の処理部は、前記携帯端末に設けられる。
【００１５】
また、実施形態に係る配置登録方法は、固有のＩＤ情報を有する複数の照明器具を統括制御し、前記複数の照明器具を所定の順番で点灯制御可能な統括制御部と、前記複数の照明器具のうちの複数の照明器具を撮影範囲として撮影が可能な携帯端末とによって構成される照明制御システムにおける配置登録方法であって、前記複数の照明器具の配置位置を示す配置図の情報を用いて、前記携帯端末によって得られた撮影画像の画像解析処理によって、前記撮影画像中の前記照明器具の画像部分と前記配置図上の前記配置位置との対応関係を求める第１の処理を行い；順次点灯される照明器具と前記配置図上の照明器具との対応を求める第２の処理を行い；前記配置図上に配置された照明器具に対応する各アドレスに前記複数の照明器具の各ＩＤ情報を対応付ける第３の処理を行う。
【００１６】
以下、図面を参照して本発明の実施の形態について詳細に説明する。
【００１７】
（第１の実施の形態）
図１は本発明の第１の実施の形態に係る照明制御システムを示す説明図である。図１の照明制御システム１は、複数の照明器具Ｌ１，Ｌ２，…（以下、代表して照明器具Ｌという）、これらの照明器具Ｌを一括して制御する統括制御部２及び照明器具Ｌを撮影する撮影機器である携帯端末５によって構成される。
【００１８】
照明器具Ｌは、例えば、オフィスビルや各種施設などの各フロアや各エリアなどの照明エリア毎に設置される。照明器具Ｌは、伝送ライン３を介して照明器具Ｌを遠隔制御する統括制御部２に接続される。伝送ライン３には、壁スイッチ４や図示しない人感センサ等も接続され、統括制御部２は、これらの照明器具Ｌ、壁スイッチ４、人感センサ等を統括制御することができるようになっている。
【００１９】
本実施の形態においては、照明器具Ｌは、夫々固有のＩＤを有しており、統括制御部２は、各照明器具ＬのＩＤを取得して記憶しているものとする。例えば、統括制御部２は、各照明器具Ｌとの通信によって、各照明器具ＬからＩＤを取得することが可能である。これにより、統括制御部２は、各照明器具ＬのＩＤを指定して、所望の照明器具Ｌを点消灯及び調光制御することが可能である。
【００２０】
図２は各照明器具Ｌの配置を示す配置図の一例を示す説明図である。
【００２１】
配置図３１は、ビル３２内の部屋Ｒ１，Ｒ２，…（以下、代表して部屋Ｒという）を含む各部屋等の間取りと照明器具Ｌ１〜Ｌ１５の配置を示している。配置図３１中の正方形の枠は照明器具Ｌの配置位置を示しており、図示していないが各配置位置には各配置位置に設置される照明器具を特定するアドレスが付与されている。例えば照明器具Ｌ１〜Ｌ６にはアドレス１−１〜１−６が、照明器具Ｌ７〜Ｌ１２にはアドレス２−１〜２−６が、照明器具Ｌ１３にはアドレス３−１が、照明器具Ｌ１４にはアドレス４−１が、照明器具Ｌ１５にはアドレス５−１が付与される。ここで、アドレスとは照明器具に予め設定された固有のＩＤとは異なり、管理者が管理上便宜的に配置図上の各配置位置に配置される各照明器具に付与し使用するものである。配置図３１中には、方位を示す表示３３も表示されている。また、配置図３１中に示されていないが、照明器具Ｌ１〜Ｌ１５は天井に配置されているものとし、床から天井までの距離の情報も配置図３１の情報に含まれているものとする。即ち、配置図の情報には、各部屋における照明器具Ｌの配置位置及びそのアドレス、方位、並びに各部屋の床から天井までの距離の情報が含まれているものする。なお、配置図の画像情報と、位置、アドレス、方位、距離の情報（以下、配置図関連情報という）とを別の情報とし、これらの情報を夫々取得するようにしてもよいことは明らかである。
【００２２】
統括制御部２は、照明器具Ｌと通信を行うことによって、各照明器具ＬのＩＤを取得することはできるが、各照明器具Ｌとの通信だけでは各照明器具Ｌがいずれの位置に配置されているかを認識することはできない。上述したように、配置図上における各照明器具Ｌの配置登録（ＩＤ登録）は、従来、手入力か大がかりなシステムの導入が必要であった。
【００２３】
これに対し、本実施の形態においては、携帯端末５の撮影結果に対する画像解析によって、配置図上における各照明器具の位置と実際の照明器具の位置との対応関係を求めることにより、照明器具Ｌの位置を統括制御部２において認識可能にする。
【００２４】
なお、本実施の形態においては、照明器具の配置登録を簡単化するために、撮影画像の解析によって配置図上の照明器具との対応関係を求めるようになっているが、携帯端末５において撮影画像を取得する点を除く他の処理は、照明制御システム１上のいずれの構成要素において実施してもよい。例えば、画像解析は統括制御部２及び携帯端末５のいずれにおいて実行してもよく、配置図３１を統括制御部２及び携帯端末５のいずれにおいて保持していてもよい。なお、本実施の形態においては、統括制御部２において配置図３１の画像情報及び配置図関連情報を保持しているものとして説明する。なお、以下説明を簡略化するために、配置図の情報は配置図関連情報を含むものとする。
【００２５】
図３は統括制御部２の具体的な構成を示すブロック図である。統括制御部２は、照明器具Ｌに関する情報を記憶する記憶部２１、ＣＰＵ等によって構成された制御部２２、通信部２３及びユーザ操作を受け付ける操作部２４を有している。本実施の形態においては、記憶部２１には配置図の情報も記憶されている。制御部２２は、操作部２４の操作に従って、記憶部２１に記憶された情報に基づいて、照明器具Ｌを制御するための制御信号を発生する。通信部２３は、この制御信号を伝送ライン３を介して各照明器具Ｌに与えて、点消灯及び調光制御を可能にする。
【００２６】
また、通信部２３は、携帯端末５との間で通信を行うことも可能である。制御部２２は、後述するように、携帯端末５からの情報に基づいて、記憶部２１に記憶されている配置図上の各照明器具の配置位置に、対応する照明器具のＩＤを割当てる配置登録を行う。
【００２７】
図４は携帯端末５の具体的な構成を示すブロック図である。携帯端末５は撮像部５１を有している。撮像部５１は制御部５２に制御されて撮影を行い、撮影画像を制御部５２に出力する。制御部５２は、ＣＰＵ等によって構成されており、撮影画像に対して所定の映像信号処理を施した後、撮影画像を表示部５９に与えて表示させると共に、記憶部５３に与えて記憶させることができる。携帯端末５には操作部５４が設けられており、操作部５４はユーザ操作に応じた操作信号を制御部５２に出力する。こうして、制御部５２は、ユーザ操作に応じて各部を制御する。
【００２８】
表示部５９は、ＬＣＤ等によって構成されており、撮影画像を表示すると共に、制御部５２に制御されてメニュー表示や各種アプリケーションの表示を行うことができる。また、表示部５９には図示しないタッチパネル等を配設することもでき、この場合には、ユーザが表示部５９に表示された画像に対するタッチ操作に応じた操作信号をタッチパネルから制御部５２に出力することができる。例えば、表示部５９に配置図を表示した場合には、配置図上の所定の位置をユーザがタッチ操作することにより、当該位置の情報を、制御部５２において取得することが可能である。
【００２９】
また、携帯端末５は、ＧＰＳ（Global Positioning System）受信部５５及びセンサ部５７を有している。ＧＰＳ受信部５５は、ＧＰＳ衛星からの情報に基づく測位を行う。センサ部５７は、地磁気センサ、ジャイロセンサ、加速度センサ等を備えており、各センサ出力を得る。ＧＰＳ受信部５５及びセンサ部５７の出力に基づいて、制御部５２は撮像部５１による撮影方向、即ち、方位及び仰角を検出することができるようになっている。
【００３０】
また、携帯端末５は、通信部５８を有している。制御部５２は、各種情報を通信部５８を介して統括制御部２に送信することができるようになっている。
【００３１】
このような携帯端末５の各機能は、例えばスマートフォン等によって実現可能であり、携帯端末５としてスマートフォン等を採用することにより、システムを簡単な構成とすることが可能である。
【００３２】
本実施の形態においては、記憶部５３には、配置登録を行うために必要な情報（後述する器具画像対応情報を含む）を取得するためのアプリケーションが記憶されており、制御部５２はこのアプリケーションを起動することで、配置登録を行うために必要な情報を取得するようになっている。制御部５２は通信部５８を介して取得した情報を統括制御部２に送信する。
【００３３】
図５は照明器具Ｌの具体的な構成を示すブロック図である。照明器具Ｌは、光源６１、駆動部６２、通信部６３及び記憶部６４を備えている。通信部６３は伝送ライン３に接続されており、統括制御部２からの制御信号を受信し、駆動部６２に与える。駆動部６２は制御信号に基づいて光源６１を駆動する。これにより、光源６１は、統括制御部２の制御信号によって点消灯及び調光制御されるようになっている。
【００３４】
記憶部６４には、各照明器具Ｌに固有のＩＤ情報が記憶されている。通信部６３は、統括制御部２からの命令に従って、記憶部６４からＩＤ情報を読み出し、伝送ライン３を介して統括制御部２に送信するようになっている。
【００３５】
次に、このように構成された実施の形態の動作について図６乃至図８を参照して説明する。図６及び図７は携帯端末５による撮影を説明するための説明図であり、図８は配置登録を説明するためのフローチャートである。
【００３６】
本実施の形態においては、オペレータは、携帯端末５を用いて、撮影範囲に複数の照明器具Ｌが含まれるように、照明器具Ｌを撮影する。配置登録する全ての照明器具Ｌを一度に撮影した方が効率よく配置登録可能であるが、撮影すべき範囲が広い場合等においては、一部の照明器具Ｌのみを撮影し、撮影範囲をずらしながら配置登録する全ての照明器具Ｌを撮影するようにしてもよい。
【００３７】
本実施の形態においては、先ず、第１の処理として配置図上の照明器具の配置位置と、撮影された照明器具の撮影画像中の位置（画素位置）との対応関係の情報（以下、器具画像対応情報という）を作成する。器具画像対応情報を取得するためには、携帯端末５の撮影範囲の情報は必ずしも必要ではないが、少なくとも携帯端末５の撮影方向、撮影位置、撮影位置から天井までの距離の情報は必要である。
【００３８】
図６は部屋Ｒの天井に設置された照明器具Ｌを、オペレータ６０が携帯端末５を構えて撮影する様子を示している。また、図７は図６の撮影方向を上方から見て示すものであり、オペレータ６０が部屋Ｒにおいて矢印に示す撮影方位に向かって撮影を行う様子を示している。
【００３９】
図６及び図７に示すように、オペレータ６０は、照明器具Ｌ側の斜め上方に携帯端末５を向ける。図７はこの場合の撮影方位を示し、図６はこの場合の仰角を示している。これらの撮影方位及び仰角の情報は、携帯端末５のＧＰＳ受信部５５及びセンサ部５７によって取得可能である。
【００４０】
携帯端末５の水平方向の位置及び鉛直方向の位置は、オペレータ６０の入力操作によって取得することができる。例えば、携帯端末５の操作部５４やタッチパネルを操作することで、配置図上のいずれの位置（水平方向の撮影位置）に位置するかを入力することができると共に、携帯端末５を構える高さを入力することができる。オペレータ６０が携帯端末５を構える高さと配置図関連情報に含まれる既知の天井高さとによって、撮影位置から天井までの距離の情報を得ることができる。なお、携帯端末５を構える高さについては、オペレータの背の高さ等を用いて概略値を求めることも可能であり、構える高さに代えて背の高さを入力することで、情報の入力作業を簡単にすることができる。
【００４１】
なお、オペレータ６０の入力操作によって、水平方向及び鉛直方向の撮影位置の情報を入力するものと説明したが、予めこれらの撮影位置を決めておき、オペレータ６０が必ずその撮影位置において撮影を行うようにしてもよい。この場合には、撮影位置の情報の入力操作は不要である。
【００４２】
また、撮影画像の画像解析によって、撮影画像中の各照明器具Ｌの被写体検出が可能である。従って、配置図上の撮影位置、撮影方向及び鉛直方向の撮影位置から天井までの距離が分かれば、撮影画像中に最も大きく写されている照明器具Ｌが配置図上のいずれの配置位置の照明器具であるかを求めることができる。更に、最も近接した照明器具の画像を起点にして、画像解析によって得られた各照明器具Ｌの各画像と配置図上の各照明器具との対応関係を求めることができ、撮影画像中の全ての照明器具の画像部分について、配置図上のいずれの配置位置の照明器具に対応するかを求めることができる。
【００４３】
図８はこのような対応関係の情報（器具画像対応情報）を求めるためのアプリケーションが携帯端末５の記憶部５３に記憶されているものとして、配置登録処理を説明するものである。図８の携帯端末５の処理は、制御部５２が記憶部５３から読み出したアプリケーションを実行することで実現される。なお、このアプリケーションは、携帯端末５が統括制御部２からダウンロードするようにしてもよい。
【００４４】
図８のステップＳ１において、統括制御部２は、照明器具ＬのＩＤを取得する。一方、携帯端末５は、統括制御部２に対して、配置図の送信要求を行う（ステップＳ２）。統括制御部２は配置図の送信要求を受信すると、配置図の情報を携帯端末５に送信する（ステップＳ３）。携帯端末５は、ステップＳ４において配置図の情報を受信し、表示部５９に配置図を表示する（ステップＳ５）。
【００４５】
例えば、図２の配置図３１が表示部５９の表示画面上に表示されるものとする。オペレータ６０は、ステップＳ６において、撮影位置の情報を入力する。例えば、オペレータ６０は、配置図３１上において自分の位置をタッチすると共に、携帯端末５を構える高さを入力する。
【００４６】
情報入力が終了すると、携帯端末５は、全点灯要求を統括制御部２に送信する（ステップＳ７）。これにより、統括制御部２は全照明器具Ｌを点灯させる（ステップＳ８）。携帯端末５は、点灯要求後に撮像部５１を動作させて動画撮影を行う（ステップＳ９）。携帯端末５の制御部５２は、撮影画像を画像解析して、撮影画像中から各照明器具Ｌの画像部分を検出する（ステップＳ１０）。各照明器具Ｌの検出は例えば、周囲との輝度差が相対的に高い部分または所定輝度以上の画像を特定することで行ってもよい。更に、制御部５２は、撮影位置の情報、撮影方向の情報及び撮影位置から天井までの距離の情報を用いて、配置図上の各照明器具Ｌの配置位置と実際に撮影された各照明器具Ｌの撮影画像中の画像部分の対応関係を示す器具画像対応情報を求める（ステップＳ１１）。
【００４７】
なお、全点灯要求は、照明器具Ｌを点灯させて照明器具Ｌの画像解析を容易にするために行うものであり、照明器具Ｌの画像部分の検出が可能であれば、必ずしも照明器具Ｌを点灯させる必要はない。
【００４８】
携帯端末５は、器具画像対応情報の作成処理が終了したことを示す処理終了送信を行う（ステップＳ１２）。統括制御部２はこの送信を受信すると（ステップＳ１３）、全ての照明器具Ｌを消灯した後（ステップＳ１４）、各照明器具Ｌを所定の順序で順次点灯させる（ステップＳ１５）。なお、統括制御部２は、照明器具Ｌを１つずつ点灯させてもよく、点灯させる照明器具Ｌを１つずつ増やしてもよい。更に、統括制御部２は、全点灯させた照明器具Ｌを１つずつ消灯させるようにしてもよい。統括制御部２は、いずれのＩＤの照明器具をいずれの順番で点灯又は消灯させたかを認識している。
【００４９】
オペレータ６０は、照明器具Ｌの点灯が再開又は点灯する照明器具Ｌが切換る毎に、携帯端末５により静止画撮影を行う（ステップＳ１６）。なお、この場合における携帯端末５の撮影位置及び撮影方向は、器具画像対応情報の取得のための撮影時から変化させないものとする。携帯端末５の制御部５２は、画像解析によって、点灯した照明器具Ｌの撮影画像中の画像部分を求め、器具画像対応情報を参照することで、第２の処理として、順次点灯した照明器具Ｌが配置図上のいずれの位置の照明器具であるかの情報（以下、器具位置情報という）を求める（ステップＳ１７）。携帯端末５は、求めた器具位置情報を統括制御部２に送信する。例えば、携帯端末５は、配置図上の各照明器具に割当てられたアドレスを器具位置情報として送信すればよい。
【００５０】
なお、ステップＳ１６においては、点灯する照明器具Ｌが切換る毎に静止画撮影をするものと説明したが、携帯端末５において動画撮影を行い、画像解析によって、点灯した照明器具Ｌを順次検出するようにしてもよい。この場合には、携帯端末５を自動的に動画撮影開始させるようにしてもよい。
【００５１】
統括制御部２は、器具位置情報を受信すると（ステップＳ１８）、次のステップＳ１９において、配置登録する全ての照明器具Ｌを点灯させたか否かを判定し、全てを点灯させていない場合には処理をステップＳ１５に戻して順次点灯させる。全ての照明器具Ｌの点灯が終了すると、ステップＳ２０において第３の処理として配置登録情報を作成する。即ち、統括制御部２は、点灯させた照明器具ＬのＩＤと、携帯端末５から送信された器具位置情報とを対応付けた配置登録情報を作成する。
【００５２】
こうして、オペレータが携帯端末５を利用して、所定の位置において所定の撮影方向で照明器具を撮影するという簡単な操作によって、照明器具のＩＤと配置図上の照明器具の配置位置との関係を示す配置登録情報を作成することができる。
【００５３】
このように本実施の形態においては、スマートフォン等の携帯端末によって照明器具を撮影し、配置図上の配置位置と撮影画像の画像部分との対応関係を求め、統括制御部において所定の順番で点灯させた照明器具を携帯端末によって撮影して画像解析することで、点灯させた照明器具が配置図上のいずれの配置位置のものであるかを求めて、照明器具の配置登録情報を作成するようになっている。このように、携帯端末を利用することによって極めて簡単なシステムで、器具設置位置の登録が可能である。
【００５４】
（第２の実施の形態）
図９は本発明の第２の実施の形態を示すフローチャートである。図９において図８同一の手順には同一符号を付して説明を省略する。本実施の形態におけるハードウェア構成は第１の実施の形態と同様であり、携帯端末５が実行するアプリケーションが第１の実施の形態と異なるのみである。
【００５５】
第１の実施の形態においては、統括制御部２と携帯端末５とが通信を行いながら協働して処理を行うことで配置登録情報を作成した。これに対し、本実施の形態は主に携帯端末５において配置登録情報を求める例を示している。
【００５６】
図９のフローは、統括制御部２側において、ステップＳ３に代えてステップＳ２３を採用すると共にステップＳ８，Ｓ１３，Ｓ１４，Ｓ１８，Ｓ２０を省略し、携帯端末５側において、ステップＳ７，Ｓ１２を省略し、ステップＳ１６に代えてステップＳ２６を採用し、ステップＳ２１，Ｓ２２を追加した点が図８のフローと異なる。
【００５７】
ステップＳ２３では、携帯端末５からの配置図の送信要求（ステップＳ２）に対して。統括制御部２は配置図情報だけでなく、照明器具Ｌの点灯順の情報も携帯端末５に送信する。携帯端末５は、ステップＳ４において配置図の情報を受信し、表示部５９に配置図を表示する（ステップＳ５）。なお、制御部５２は、点灯順の情報については、記憶部５３に記憶させておく。
【００５８】
携帯端末５は、ステップＳ６，Ｓ９，Ｓ１０，Ｓ１１において、第１の処理として器具画像対応情報を作成する。なお、本実施の形態においては、統括制御部２側において全点灯制御していないが、第１の実施の形態と同様に、照明器具Ｌを全て点灯させた状態で、器具画像対応情報を作成するようにしてもよい。
【００５９】
統括制御部２は、配置図等の情報送信後に、ステップＳ２４において所定時間待機した後、携帯端末５に送信した点灯順の情報によって示される順番で、各照明器具Ｌを順次点灯させる（ステップＳ１５）。統括制御部２は、全ての照明器具Ｌの点灯が終了したか否かをステップＳ１９において判定し、全ての照明器具Ｌを点灯させると処理を終了する。
【００６０】
一方、携帯端末５は、ステップＳ２４の所定時間の待機終了前に、動画撮影を再開する（ステップＳ２６）。これにより、携帯端末５は、ステップＳ１５の点灯処理による各照明器具Ｌの点灯状態の撮影が可能である。ステップＳ２６の撮影時においても、携帯端末５の撮影位置及び撮影方向は、器具画像対応情報の取得のための撮影時から変化させないものとする。なお、ステップＳ２４では照明器具Ｌの順次点灯前に動画撮影が自動的に開始されるものとして説明したが、図８のステップＳ１６と同様に、オペレータが照明器具Ｌの点灯毎に静止画撮影を行うようにしてもよい。
【００６１】
ステップＳ１７では、携帯端末５の制御部５２は、画像解析を行い、器具画像対応情報を参照することで、第２の処理として器具位置情報を求める。携帯端末５は、ステップＳ２１において、記憶部５３に記憶されている点灯順の情報と器具位置情報とに基づいて、第３の処理として点灯されている照明器具ＬのＩＤと器具位置情報とを対応付ける配置登録情報を作成する。
【００６２】
携帯端末５は、ステップＳ２１において、全ての照明器具について配置登録が行われたかを判定し、全ての照明器具の配置登録が終了するまでステップＳ１７，Ｓ２１の処理を繰り返す。こうして、オペレータが携帯端末５を利用して、所定の位置において所定の撮影方向で照明器具を撮影するという簡単な操作によって、携帯端末５において、照明器具のＩＤと配置位置との関係を示す配置登録情報を作成することができる。
【００６３】
このように本実施の形態においても、第１の実施の形態と同様の効果を得ることができる。また、本実施の形態においては、主に携帯端末において、照明器具の配置登録情報を作成することができる。
【００６４】
なお、携帯端末５の記憶部５３に、配置図の情報や点灯順の情報を予め格納しておき、統括制御部２において、所定の時間の全点灯制御や順次点灯制御を開始するように設定しておくことにより、携帯端末５と統括制御部２との間で通信を行うことなく、携帯端末５のみにおいて配置登録情報の作成が可能である。即ち、この場合には、携帯端末５と統括制御部２との間の通信を行う通信機能を省略することも可能である。
【００６５】
また、上記各実施の形態においては、器具画像対応情報及び器具位置情報を携帯端末において求める例について説明したが、画像情報を統括制御部２に送信するようにした場合には、統括制御部２において器具画像対応情報、器具位置情報及び配置登録情報を求めるようにすることも可能である。
【００６６】
また、上記各実施の形態においては、複数の照明器具を同時に撮影することで器具画像対応情報を作成し、その後照明器具を順番に点灯させることで器具位置情報を作成する例について説明したが、照明器具を順番に点灯させた状態を動画又は静止画によって撮影し、撮影画像の画像解析処理によって、器具画像対応情報及び器具位置情報を求めるようにすることも可能である。
【００６７】
なお、上記各実施の形態においては、照明器具Ｌが天井に配置されているものとして説明したが、壁等に配置されている場合でも、撮影方向の情報を用いることで、器具画像対応情報、器具位置情報を作成することができることは明らかである。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
１…照明制御システム、２…統括制御部、３…伝送ライン、５…携帯端末。
【図１】
2014222652.tif 000003
【図２】
2014222652.tif 000004
【図３】
2014222652.tif 000005
【図４】
2014222652.tif 000006
【図５】
2014222652.tif 000007
【図６】
2014222652.tif 000008
【図７】
2014222652.tif 000009
【図８】
2014222652.tif 000010
【図９】
2014222652.tif 000011